(57)【要約】【課題】ＨＤＤ等の記憶部に記憶されたフォルダ及びフォルダ内のデータの編集作業の効率化に優れた情報編集方法を提供することにある。【解決手段】情報編集方法は、記憶部に記憶された少なくとも一つの記憶済みフォルダの構成及び前記記憶済みフォルダに含まれた少なくとも一つのタイトルを示す第１のファイルを送信し、前記記憶済みフォルダ及び前記記憶済みタイトルの編集指示を含む第２のファイルを受信し、前記第２のファイルに含まれた前記編集指示に基づき、前記記憶部に記憶された前記記憶済みフォルダの構成及び前記記憶済みフォルダに含まれた前記記憶済みタイトルを編集する。【選択図】      図９
2010123187.tif 000002
【特許請求の範囲】
【請求項１】
記憶部に記憶された少なくとも一つの記憶済みフォルダの構成及び前記記憶済みフォルダに含まれた少なくとも一つの記憶済みタイトルを示す第１のファイルを送信する送信手段と、
前記記憶済みフォルダ及び前記記憶済みタイトルの編集指示を含む第２のファイルを受信する受信手段と、
前記第２のファイルに含まれた前記編集指示に基づき、前記記憶部に記憶された前記記憶済みフォルダの構成、及び前記記憶済みフォルダに含まれた前記記憶済みタイトルを編集する編集手段と、
を備えたことを特徴とする情報編集装置。
【請求項２】
前記編集手段は、前記第２のファイルに含まれた複数の編集指示に基づき、複数の編集を制御することを特徴とする請求項１に記載の情報編集装置。
【請求項３】
前記編集手段は、前記第２のファイルに含まれた複数の編集指示に基づき、前記記憶部に記憶された前記記憶済みフォルダに含まれた複数の記憶済みタイトルの削除を制御することを特徴とする請求項１に記載の情報編集装置。
【請求項４】
前記編集手段は、前記第２のファイルに含まれた編集指示に基づき、前記記憶手段に記憶された前記記憶済みタイトルの削除、前記記憶済みフォルダの削除、前記記憶済みタイトルの移動、前記記憶済みフォルダの移動、前記記憶部に対する新規フォルダの追加のうちの少なくとも一つを制御することを特徴とする請求項１に記載の情報編集装置。
【請求項５】
前記編集手段は、前記第２のファイルに含まれた少なくとも一つの編集済みフォルダの構成及び少なくとも一つの編集済みタイトルに基づき、前記記憶部に記憶された前記記憶済みフォルダの構成及び前記記憶済みタイトルを更新することを特徴とする請求項１に記載の情報編集装置。
【請求項６】
記憶部に記憶された少なくとも一つの記憶済みフォルダの構成及び前記記憶済みフォルダに含まれた少なくとも一つのタイトルを示す第１のファイルを送信し、
前記記憶済みフォルダ及び前記記憶済みタイトルの編集指示を含む第２のファイルを受信し、
前記第２のファイルに含まれた前記編集指示に基づき、前記記憶部に記憶された前記記憶済みフォルダの構成及び前記記憶済みフォルダに含まれた前記記憶済みタイトルを編集する、
ことを特徴とする情報編集方法。
【発明の詳細な説明】
【技術分野】
【０００１】
本発明は、ハードディスクドライブ（ＨＤＤ）等にフォルダを生成し、フォルダに対して録画した番組データを格納したり、フォルダに格納された番組データを削除したりする情報編集装置及び情報編集方法に関する。
【背景技術】
【０００２】
近年、ＨＤＤ等を内蔵したレコーダが広く普及している。ＨＤＤの記憶容量は増加傾向にあり、これによりレコーダはＨＤＤに対して多くの番組データを録画することができる。また、レコーダはＨＤＤ内に複数のフォルダを生成することができ、録画した番組データをフォルダ別に分けて管理することができる。また、レコーダは、フォルダ内の番組データを削除したり、フォルダ内の番組データを他のフォルダへ移動したりすることができ、さらには、フォルダの削除及び追加もできる。
【０００３】
上記したようなフォルダの利用により、多数のデータを分かり易く整理することができる。フォルダをより簡単に利用するために、フォルダを簡単操作で生成する技術が提案されている。例えば、フォルダに格納されたファイルのリスト表示に対して、フォルダの分割位置をペンで押圧して指定することにより、フォルダを分割する技術が提案されている（特許文献１参照）。
【特許文献１】特開２００１−１０１８３２
【発明の開示】
【発明が解決しようとする課題】
【０００４】
上記したように、ＨＤＤの記憶容量は増加傾向にあり、ＨＤＤに対しては多くの番組データを記憶することができる。これら多くの番組データを分かり易く整理するために、ＨＤＤには多数のフォルダ、例えば階層構造を有する多数のフォルダが生成されることが予測される。
【０００５】
これら多数のフォルダ内の多数の番組データを削除又は移動する場合には、フォルダの選択操作、及び番組データの削除操作又は移動操作等を繰り返す必要があり、これらの操作負担を軽減する技術が望まれている。
【０００６】
また、複数の番組データを削除する場合には、削除対象の番組データの選択操作に続いて実際に選択された削除対象の番組データが削除される。この実際の番組データの削除の際には、それなりの待ち時間が発生することが知られている。一般的に、削除対象の番組データの選択操作と実際の番組データの削除処理とは連続する動作である。このため、ユーザは、削除対象の番組データの選択操作の後、実際の削除処理を待たなければならない。
【０００７】
本発明の目的は、ＨＤＤ等の記憶部に記憶されたフォルダ及びフォルダ内のデータの編集作業の効率化に優れた情報編集装置及び情報編集方法を提供することにある。
【課題を解決するための手段】
【０００８】
この発明の一実施形態に係る情報編集装置は、記憶部に記憶された少なくとも一つの記憶済みフォルダの構成及び前記記憶済みフォルダに含まれた少なくとも一つの記憶済みタイトルを示す第１のファイルを送信する送信手段と、前記記憶済みフォルダ及び前記記憶済みタイトルの編集指示を含む第２のファイルを受信する受信手段と、前記第２のファイルに含まれた前記編集指示に基づき、前記記憶部に記憶された前記記憶済みフォルダの構成、及び前記記憶済みフォルダに含まれた前記記憶済みタイトルを編集する編集手段と、を備えている。
【０００９】
この発明の一実施形態に係る情報編集装置は、記憶部に記憶された少なくとも一つの記憶済みフォルダの構成及び前記記憶済みフォルダに含まれた少なくとも一つのタイトルを示す第１のファイルを送信し、前記記憶済みフォルダ及び前記記憶済みタイトルの編集指示を含む第２のファイルを受信し、前記第２のファイルに含まれた前記編集指示に基づき、前記記憶部に記憶された前記記憶済みフォルダの構成及び前記記憶済みフォルダに含まれた前記記憶済みタイトルを編集する。
【発明の効果】
【００１０】
本発明によれば、ＨＤＤ等の記憶部に記憶されたフォルダ及びフォルダ内のデータの編集作業の効率化に優れた情報編集装置及び情報編集方法を提供できる。
【発明を実施するための最良の形態】
【００１１】
以下、図面を参照し、本発明の実施形態について説明する。
【００１２】
図１は、本発明の一実施形態に係る映像記録再生装置（情報編集装置）とＰＣ等の外部編集機器との接続（ＬＡＮ接続）、及び映像記録再生装置とＰＣ等の外部編集機器との間で送受信されるファイルを説明するための図である。図１に示すように、映像記録再生装置１は、ＰＣ２と接続可能に構成されている。映像記録再生装置１は、ＰＣ２に対してアップロードファイルＦ１を送信することができ、また、ＰＣ２から送信されるダウンロードファイルＦ２を受信することができる。なお、アップロードファイルＦ１及びダウンロードファイルＦ２の用途については後で詳しく説明する。
【００１３】
図２は、本発明の一実施形態に係る映像記録再生装置の概略構成を示す図である。図２に示すように、映像記録再生装置１は、ネットワーク３を介してＰＣ２と接続する。また、映像記録再生装置１は、通信モジュール１１、リモートコントローラ信号受光部１２ｂ、ユーザ操作入力部１３、制御モジュール１４、接続処理モジュール１４１、ＰＣ編集用ファイル作成モジュール１４２、編集ファイルダウンロード／アップロードモジュール１４３、ダウンロードファイル解析モジュール１４４、フォルダ／ファイル編集モジュール１４５、チューナ部１５、メモリ部１６、タイマ部１７、録画再生信号処理モジュール１８、ディスクドライブ部１９、ハードディスクドライブ部２０、ハードディスク２０１を備えている。
【００１４】
通信モジュール１１は、ネットワーク３を介してＰＣ２等の外部機器との接続を制御する。リモートコントローラ信号受光部１２ｂは、リモートコントローラ１２ａからのコントロール信号を受光し、受光したコントロール信号を制御モジュール１４へ通知する。ユーザ操作入力部１３は、ユーザ操作を受け付け、受け付けたユーザ操作に対応するコントロール信号を制御モジュール１４へ通知する。
【００１５】
制御モジュール１４は、映像記録再生装置１の全体を統括制御するものであり、後述するフォルダ及び番組タイトルの編集（削除、移動、追加）を制御する。また、メモリ部１６は、制御モジュール１４により生成されるアップロードファイルＦ１又は通信モジュール１１を介して受信されるダウンロードファイルＦ２を記憶する。タイマ部１７は、現在日時をカウントする。
【００１６】
チューナ部１５は、リモートコントローラ１２ａによるチャンネル選択操作又はユーザ操作入力部１３により受け付けられたチャンネル選択操作に基づき、アンテナにより受信された複数チャンネルの放送信号の中から所定のチャンネルの放送信号を選択し、選択した所定のチャンネルの放送信号を録画再生信号処理モジュール１８へ供給する。
【００１７】
録画再生信号処理モジュール１８は、チューナ部１５から供給される所定のチャンネルの放送信号をデコードしモニタ４等へ出力する。或いは、録画再生信号処理モジュール１８は、リモートコントローラ１２ａによる録画操作（予約録画操作）又はユーザ操作入力部１３により受け付けられた録画操作（予約録画操作）に基づき、チューナ部１５から供給される所定のチャンネルの放送信号をディスクドライブ部１９又はハードディスクドライブ部２０へ供給する。
【００１８】
ディスクドライブ部１９は、供給された所定のチャンネルの放送信号をディスク５へ録画する。或いは、ディスクドライブ部１９は、リモートコントローラ１２ａによるディスク５の再生操作又はユーザ操作入力部１３により受け付けられたディスク５の再生操作に基づき、ディスク５に記録されたデータを読み出し、読み出したデータを記録再生処理モジュール１８へ供給する。記録再生処理モジュール１８は、ディスク５から読み出されたデータをデコードしモニタ４等へ出力する。
【００１９】
ハードディスクドライブ部２０は、供給された所定のチャンネルの放送信号をハードディスク２０１へ録画する。或いは、ハードディスクドライブ部２０は、リモートコントローラ１２ａによるハードディスク２０１の再生操作又はユーザ操作入力部１３により受け付けられたハードディスク２０１の再生操作に基づき、ハードディスク２０１に記録されたデータを読み出し、読み出したデータを記録再生処理モジュール１８へ供給する。記録再生処理モジュール１８は、ハードディスク２０１から読み出されたデータをデコードしモニタ４等へ出力する。
【００２０】
次に、図３〜図１０を参照し、アップロードファイルＦ１及びダウンロードファイルＦ２を用いたハードディスク２０１内のフォルダの構成の編集（削除、移動、追加等）、及びフォルダ内の番組タイトルの編集（削除、移動等）について説明する。
【００２１】
制御モジュール１４のフォルダ／ファイル編集モジュール１４５は、リモートコントローラ１２ａ又はユーザ操作入力部１３からのフォルダ生成指示に基づき、ハードディスク２０１に対して１又は複数のフォルダを生成することができる。さらに、フォルダ／ファイル編集モジュール１４５は、ハードディスク２０１に対して、階層構造を有する多数のフォルダを生成することもできる。
【００２２】
上記したように、映像記録再生装置１は、ハードディスク２０１に対して番組タイトルを録画することができ、録画した番組タイトルをハードディスク２０１内のフォルダ別に分けて管理することができる。
【００２３】
映像記録再生装置１は、リモートコントローラ１２ａ又はユーザ操作入力部１３からのネットワーク編集操作に基づき、アップロードファイルＦ１を用いたハードディスク２０１内のフォルダ及びフォルダ内の番組タイトルの編集を開始する（図９のＳＴ１１）。このとき、映像記録再生装置１が、ネットワーク３を介してＰＣ２と接続されていなければ（ＳＴ１２、ＮＯ）、ネットワーク編集は拒絶される。
【００２４】
映像記録再生装置１が、ネットワーク３を介してＰＣ２と接続されていれば（ＳＴ１２、ＹＥＳ）、ＰＣ編集用ファイル作成モジュール１４２は、リモートコントローラ１２ａ又はユーザ操作入力部１３からのネットワーク編集操作に基づき、アップロードファイル（テキスト又はエクセルファイル）Ｆ１を生成する（ＳＴ１３）。生成されたアップロードファイルＦ１は、例えばメモリ部１６に記憶される。
【００２５】
ここで、アップロードファイルＦ１について説明する。図３に示すように、アップロードファイルＦ１は、ハードディスク２０１内に生成されたフォルダ（少なくとも一つのフォルダ）の構成及びこのフォルダに含まれたタイトル（少なくとも一つのタイトル）を示す情報を含む。図３は、アップロードファイルＦ１の一例を示す図である。
【００２６】
図３に示すアップロードファイルＦ１が生成されるケースでは、ハードディスク２０１は、最上位フォルダ（root）を記憶し、図６Ａに示すように、最上位フォルダは、ドラマフォルダ、７時のニュースの番組タイトル、ニュース特番の番組タイトル、及び金曜映画の番組タイトルを含む。さらに、図６Ｂに示すように、ドラマフォルダは、特番フォルダ及び連ドラフォルダを含み、図６Ｃに示すように、特番フォルダは、特番１の番組タイトル及び特番２の番組タイトルを含む。さらに、図６Ｄに示すように、連ドラフォルダは、月曜ドラマフォルダ及び水曜ドラマ最終回の番組タイトルを含み、図６Ｅに示すように、月曜ドラマフォルダは、第１話の番組タイトル、第２話の番組タイトル、及び第３話の番組タイトルを含む。
【００２７】
接続処理モジュール１４１及び編集ファイルダウンロード／アップロードモジュール１４３は、ネットワーク３を介してアップロードファイルＦ１をＰＣ２へアップロードする（ＳＴ１４）。
【００２８】
ＰＣ２は、アップロードファイルＦ１の内容を表示し、ユーザの編集操作に対応して図３に示すアップロードファイルＦ１内のフォルダの構成及び番組タイトルを編集し（ＳＴ２１）、図４に示すダウンロードファイルＦ２（テキスト又はエクセルファイル）を生成する。
【００２９】
例えば、図５Ａ及び図５Ｂ（或いは図６Ａ〜図６Ｅ）に示すように、ＰＣ２は、アップロードファイルＦ１内のフォルダの構成及び番組タイトルをユーザが編集しやすいように、アップロードファイルＦ１内のフォルダの構成及び番組タイトルをグラフィカルユーザインターフェース（ＧＵＩ）に変換して表示する。図５Ａ及び図５Ｂは、ＰＣ２によるアップロードファイルＦ１の内容表示の一例を示す図であり、図５Ａは、最上位フォルダ（root）の内容を示す図であり、図５Ｂは、最上位フォルダ（root）の中のドラマフォルダの内容を示す図である。
【００３０】
また、ユーザは、ＰＣ２によるアップロードファイルＦ１の表示内容（図５Ａ及び図５Ｂ）を参照しながら、ＰＣ２に接続されたマウスの操作（左クリックや右クリック）により削除したい番組タイトルを選択しサブメニューを表示しサブメニュー中の削除を選択したり、マウスの操作により移動したい番組タイトルを選択しサブメニューを表示しサブメニュー中の移動を選択し移動先を指定したり、マウスの操作により削除したいフォルダを選択しサブメニューを表示しサブメニュー中の削除を選択したり、マウスの操作により移動したいフォルダを選択しサブメニューを表示しサブメニュー中の移動を選択し移動先を指定したり、フォルダの追加先を指定しサブメニューを表示しサブメニュー中のフォルダの追加を選択しキーボード等により追加フォルダ名を入力したりする。このようなマウス操作により、図４に示すダウンロードファイルＦ２が生成される。
【００３１】
図４に示すダウンロードファイルＦ２は、上記したようなマウス及びキーボードの操作に対応し、編集済みフォルダ（削除、移動、追加されたフォルダ）の構成及び編集済みタイトル（削除、移動されたタイトル）を含む。具体的には、図４に示すダウンロードファイルＦ２は、特番フォルダ内の特番１の番組タイトルと特番２の番組タイトルとをドラマフォルダへ移動する指示、特番フォルダを削除する指示、月曜ドラマフォルダ内の第１話の番組タイトルを削除する指示、連ドラフォルダ内の水曜ドラマ最終回の番組タイトルを削除する指示、最上位フォルダ内にニュースフォルダを追加する指示、最上位フォルダ内の７時のニュースの番組タイトルとニュース特番の番組タイトルとをニュースフォルダ内へ移動する指示、最上位フォルダ内に映画フォルダを追加する指示、最上位フォルダ内の金曜映画の番組タイトルを映画フォルダ内へ移動する指示を含むことになる。即ち、図５に示すダウンロードファイルＦ２は、複数の編集指示を含むことになる。なお、ダウンロードファイルＦ２は、単一の編集指示だけを含んでもよい。図７Ａ〜図７Ｆ及び図８に示すように、ＰＣ２は、ダウンロードファイルＦ２内のフォルダの構成及び番組タイトルを表示することができる。
【００３２】
映像記録再生装置１の接続処理モジュール１４１及び編集ファイルダウンロード／アップロードモジュール１４３は、リモートコントローラ１２ａ又はユーザ操作入力部１３からのネットワーク編集の反映操作に基づき、ダウンロードファイルＦ２をダウンロードする（図９のＳＴ１５）。このとき、映像記録再生装置１が、ネットワーク３を介してＰＣ２と接続されていなければ、ネットワーク編集の反映は拒絶される。
【００３３】
なお、映像記録再生装置１は、アップロードファイルＦ１をＰＣ２へアップロードしてから（ＳＴ１４）、ダウンロードファイルＦ２をＰＣ２からダウンロードするまで（ＳＴ１）の間、ＰＣ２との接続を継続してもよいし、ＰＣとの接続を切断してもよい。即ち、ＰＣ２は、映像記録再生装置１と接続した状態で、ユーザからの編集操作（ダウンロードファイルＦ２の生成）を受け付けることもできるし、映像記録装置１との接続を切断した状態で、ユーザからの編集操作（ダウンロードファイルＦ２の生成）を受け付けることもできる。
【００３４】
これにより、ユーザは、編集操作開始後（映像記録再生装置１がＰＣ２に対してアップロードファイルＦ１を送信した後）に、ＰＣ２から映像記録再生装置１に対するダウンロードファイルＦ２のダウンロードを後回しにして、映像記録再生装置１による別の処理（番組録画等）を実行することができる。具体例としては、ユーザが、ＰＣ２によりフォルダ構成及びタイトルを編集している間に、映像記録再生装置１に設定された録画予約時間になったとしても、ユーザは、ＰＣ２によるフォルダ構成及びタイトルの編集を続けることができるし、映像記録再生装置１は録画予約を実行することもできる。映像記録再生装置１は、録画処理完了後に、ＰＣ２からダウンロードファイルＦ２をダウンロードし、ダウンロードファイルＦ２に基づきハードディスク２０１の内容を更新してもよいし、或いは、映像記録再生装置１は、事前に、ＰＣ２からダウンロードファイルＦ２をダウンロードしておき、録画処理完了後に、ダウンロードファイルＦ２に基づきハードディスク２０１の内容を更新してもよい。なお、ハードディスク２０１の内容更新処理については、後で詳しく説明する。
【００３５】
リモートコントローラ１２ａ又はユーザ操作入力部１３からのネットワーク編集の反映操作の際に、映像記録再生装置１が、ネットワーク３を介してＰＣ２と接続されていれば、編集ファイルダウンロード／アップロードモジュール１４３は、ネットワーク３を介してＰＣ２からダウンロードファイルＦ２をダウンロードし、さらに、ダウンロードファイル解析モジュール１４４は、ダウンロードファイルＦ２を解析する（ＳＴ１６）。
【００３６】
次に、図１０に示すフローチャートを参照し、ダウンロードファイルＦ２の解析に基づくハードディスク２０１の内容の更新処理の一例について説明する。
【００３７】
ダウンロードファイル解析モジュール１４４は、ダウンロードファイルＦ２を解析し、指定タイトルの削除指示があるかどうかを確認する（ＳＴ１６１）。指定タイトルの削除指示があれば（ＳＴ１６１、ＹＥＳ）、フォルダ／ファイル編集モジュール１４５は、指定タイトルの削除指示に基づき（ＳＴ１６１、ＹＥＳ）、ハードディスク２０１の内容を更新する。つまり、フォルダ／ファイル編集モジュール１４５は、ハードディスク２０１に記憶された指定タイトルを削除する。指定タイトルの削除指示がなければ（ＳＴ１６１、ＮＯ）、次の処理へ移行する。
【００３８】
続いて、ダウンロードファイル解析モジュール１４４が、指定フォルダの追加指示があるかどうかを確認し（ＳＴ１６３）、指定フォルダの追加指示があれば（ＳＴ１６３、ＹＥＳ）、フォルダ／ファイル編集モジュール１４５は、指定フォルダの追加指示に基づき、ハードディスク２０１の内容を更新する。つまり、フォルダ／ファイル編集モジュール１４５は、ハードディスク２０１に対して指定フォルダを追加する（ＳＴ１６４）。指定フォルダの追加指示がなければ（ＳＴ１６３、ＮＯ）、次の処理へ移行する。なお、指定フォルダの追加指示は、指定フォルダの追加位置情報を含み、フォルダ／ファイル編集モジュール１４５は、指定フォルダの追加位置情報に基づき、指定フォルダを指定された位置へ追加する。
【００３９】
続いて、ダウンロードファイル解析モジュール１４４が、指定タイトルの移動指示があるかどうかを確認し（ＳＴ１６５）、指定タイトルの移動指示があれば（ＳＴ１６５、ＹＥＳ）、フォルダ／ファイル編集モジュール１４５は、指定タイトルの移動指示に基づき、ハードディスク２０１の内容を更新する。つまり、フォルダ／ファイル編集モジュール１４５は、ハードディスク２０１に記憶された指定タイトルを移動する（ＳＴ１６６）。指定タイトルの移動指示がなければ（ＳＴ１６５、ＮＯ）、次の処理へ移行する。なお、指定タイトルの移動指示は、指定タイトルの移動先情報を含み、フォルダ／ファイル編集モジュール１４５は、指定タイトルの移動先情報に基づき、指定タイトルを指定された移動先へ移動する。
【００４０】
続いて、ダウンロードファイル解析モジュール１４４が、指定フォルダの削除指示があるかどうかを確認し（ＳＴ１６７）、指定フォルダの削除指示があれば（ＳＴ１６７、ＹＥＳ）、フォルダ／ファイル編集モジュール１４５は、指定フォルダの削除指示に基づき、ハードディスク２０１の内容を更新する。つまり、フォルダ／ファイル編集モジュール１４５は、ハードディスク２０１に記憶された指定フォルダを削除する（ＳＴ１６８）。指定フォルダの削除指示がなければ（ＳＴ１６７、ＮＯ）、処理は終了する。
【００４１】
なお、上記説明では、フォルダの移動についての説明は省略したが、タイトルの移動と同様、指定フォルダの移動指示があれば、指定フォルダを指定された移動先へ移動する。
【００４２】
また、上記説明では、タイトル削除、フォルダ追加、タイトル移動、フォルダ削除の順で編集するケースについて説明した。例えば、フォルダ削除、タイトル移動について制約がある場合に有効である。例えば、指定フォルダを削除するためには、この指定フォルダが空でなければならないという制約があるとする。また、タイトルを移動するためには、移動先のフォルダが追加された後でなければならないという制約があるとする。このような制約がある場合に、上記した編集処理順序は有効である。
【００４３】
なお、上記した編集処理順序は一例であり、必須の処理順序ではない。例えば、上記した制約がなく、指定フォルダを削除する場合であって、指定フォルダ内にタイトルが格納されている場合には、指定フォルダを削除するとともに指定フォルダ内のタイトルも削除するようにしてもよい。
【００４４】
図４に示すダウンロードファイルＦ２により、ハードディスク２０１の内容は以下のように更新される。つまり、ハードディスク２０１は、最上位フォルダ（root）を記憶し、図７Ａに示すように、最上位フォルダは、ドラマフォルダ、ニュースフォルダ、映画フォルダを含む。さらに、図７Ｂに示すように、ドラマフォルダは、連ドラフォルダ、特番１の番組タイトル、特番２の番組タイトルを含み、図７Ｃに示すように、連ドラフォルダは、月曜ドラマフォルダを含み、図７Ｄに示すように、月曜ドラマフォルダは、月曜ドラマ第２話の番組タイトル及び月曜ドラマ第３話の番組タイトルを含む。また、図７Ｅに示すように、ニュースフォルダは、７時のニュースの番組タイトル及びニュース特番の番組タイトルを含む。また、図７Ｆに示すように、映画フォルダは、金曜映画の番組タイトルを含む。
【００４５】
上記したように、ＰＣ２上のアップロードファイルＦ１に基づくＧＵＩを利用することにより、ハードディスク２０１の編集操作が簡単になるとともに、一括して複数の編集操作を実行することができる。例えば、ハードディスク２０１に多数のフォルダが形成され、各フォルダに大量のタイトルが記憶されており、多数のフォルダの削除、移動、追加、また多数のタイトルの削除、移動などを行う場合であっても、編集操作は比較的簡単に済む。
【００４６】
また、映像記録再生装置１は、複数の編集指示を含むダウンロードファイルＦ２に基づき、一括して複数の編集処理（タイトルの削除、移動、フォルダの削除、移動、追加）を実行することができる。例えば、１回の編集操作で１回の編集処理を実行する装置により、タイトルの削除とタイトルの移動とを実行する場合には（２回の編集処理を実行する場合には）、次のように操作効率が悪くなる。例えば、ユーザが、装置に対してタイトルの削除操作を入力すると、装置はこの削除操作に対応して実際のタイトル削除処理を実行する。実際のタイトル削除処理の間、装置は、次の操作を受け付けない。このため、ユーザは、次の操作であるタイトルの移動操作を入力することができず、次の操作入力待ちとなる。実際のタイトル削除処理が完了してから、ユーザは、装置に対してタイトルの移動操作を入力し、装置はこの移動操作に対応して実際のタイトル移動処理を実行する。
【００４７】
また、上記説明では、ダウンロードファイルＦ２に含まれた複数の編集指示に基づき、ハードディスク２０１の内容を編集するものとして説明したが、次のように編集処理を実現することもできる。例えば、映像再生装置１が、ハードディスク２０１の編集前の状態（メモリ部１６に記憶されたアップロードファイルＦ１）と、ダウンロードファイルＦ２とを比較し、ダウンロードファイルＦ２に含まれたフォルダの構成及びタイトルに基づき、ハードディスク２０１の内容を編集（更新）するようにしてもよい。
【００４８】
なお、上記したモジュールとは、ハードウェアで実現するものであっても良いし、ＣＰＵ等を使ってソフトウェアで実現するものであってもよい。
【００４９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５０】
【図１】本発明の一実施形態に係る映像記録再生装置（情報編集装置）とＰＣ等の外部編集機器との接続（ＬＡＮ接続）、及び映像記録再生装置とＰＣ等の外部編集機器との間で送受信されるファイルを説明するための図である。
【図２】本発明の一実施形態に係る映像記録再生装置の概略構成を示す図である。
【図３】アップロードファイルの構成の一例を示す図である。
【図４】ダウンロードファイルの構成の一例を示す図である。
【図５Ａ】アップロードファイル内のフォルダの構成及び番組タイトルに対応するグラフィカルユーザインターフェース（ＧＵＩ）表示の一例を示す図である。
【図５Ｂ】アップロードファイル内のフォルダの構成及び番組タイトルに対応するグラフィカルユーザインターフェース（ＧＵＩ）表示の一例を示す図である。
【図６Ａ】更新前のＨＤＤ内のフォルダ構成及びタイトルの一覧表示、又はアップロードファイルに示された更新前のＨＤＤ内のフォルダ構成及びタイトルの一覧表示の一例を示す図である。
【図６Ｂ】更新前のＨＤＤ内のフォルダ構成及びタイトルの一覧表示、又はアップロードファイルに示された更新前のＨＤＤ内のフォルダ構成及びタイトルの一覧表示の一例を示す図である。
【図６Ｃ】更新前のＨＤＤ内のフォルダ構成及びタイトルの一覧表示、又はアップロードファイルに示された更新前のＨＤＤ内のフォルダ構成及びタイトルの一覧表示の一例を示す図である。
【図６Ｄ】更新前のＨＤＤ内のフォルダ構成及びタイトルの一覧表示、又はアップロードファイルに示された更新前のＨＤＤ内のフォルダ構成及びタイトルの一覧表示の一例を示す図である。
【図６Ｅ】更新前のＨＤＤ内のフォルダ構成及びタイトルの一覧表示、又はアップロードファイルに示された更新前のＨＤＤ内のフォルダ構成及びタイトルの一覧表示の一例を示す図である。
【図７Ａ】更新後のＨＤＤ内のフォルダ構成及びタイトルの一覧表示、又はダウンロードファイルに示されたフォルダ構成及びタイトルの一覧表示の一例を示す図である。
【図７Ｂ】更新後のＨＤＤ内のフォルダ構成及びタイトルの一覧表示、又はダウンロードファイルに示されたフォルダ構成及びタイトルの一覧表示の一例を示す図である。
【図７Ｃ】更新後のＨＤＤ内のフォルダ構成及びタイトルの一覧表示、又はダウンロードファイルに示されたフォルダ構成及びタイトルの一覧表示の一例を示す図である。
【図７Ｄ】更新後のＨＤＤ内のフォルダ構成及びタイトルの一覧表示、又はダウンロードファイルに示されたフォルダ構成及びタイトルの一覧表示の一例を示す図である。
【図７Ｅ】更新後のＨＤＤ内のフォルダ構成及びタイトルの一覧表示、又はダウンロードファイルに示されたフォルダ構成及びタイトルの一覧表示の一例を示す図である。
【図７Ｆ】更新後のＨＤＤ内のフォルダ構成及びタイトルの一覧表示、又はダウンロードファイルに示されたフォルダ構成及びタイトルの一覧表示の一例を示す図である。
【図８】ダウンロードファイルに示された削除対象のフォルダ構成及びタイトルの一覧表示の一例を示す図である。
【図９】アップロードファイルのアップロード及びダウンロードファイルのダウンロードを説明するためのフローチャートである。
【図１０】ダウンロードファイルによるハードディスク内のデータ更新の一例を説明するためのフローチャートである。
【符号の説明】
【００５１】
１…映像記録再生装置、２…ＰＣ、３…ネットワーク、１１…通信モジュール、１２ｂ…リモートコントローラ信号受光部、１３…ユーザ操作入力部、１４…制御モジュール、１５…チューナ部、１６…メモリ部、１７…タイマ部、１８…録画再生信号処理モジュール、１９…ディスクドライブ部、２０…ハードディスクドライブ部、１４１…接続処理モジュール、１４２…ＰＣ編集用ファイル作成モジュール、１４３…編集ファイルダウンロード／アップロードモジュール、１４４…ダウンロードファイル解析モジュール、１４５…フォルダ／ファイル編集モジュール、２０１…ハードディスク
【図１】
2010123187.tif 000003
【図２】
2010123187.tif 000004
【図３】
2010123187.tif 000005
【図４】
2010123187.tif 000006
【図５Ａ】
2010123187.tif 000007
【図５Ｂ】
2010123187.tif 000008
【図６Ａ】
2010123187.tif 000009
【図６Ｂ】
2010123187.tif 000010
【図６Ｃ】
2010123187.tif 000011
【図６Ｄ】
2010123187.tif 000012
【図６Ｅ】
2010123187.tif 000013
【図７Ａ】
2010123187.tif 000014
【図７Ｂ】
2010123187.tif 000015
【図７Ｃ】
2010123187.tif 000016
【図７Ｄ】
2010123187.tif 000017
【図７Ｅ】
2010123187.tif 000018
【図７Ｆ】
2010123187.tif 000019
【図８】
2010123187.tif 000020
【図９】
2010123187.tif 000021
【図１０】
2010123187.tif 000022